(57)【要約】【課題】  建物外壁面における剥落片の落下防止を、費用をかけることなく、容易に、さらに、美観を損なうことなくできるようにする。【解決手段】  建物外壁面３を覆うようにネットを取り付け、建物外壁面３の剥れによる剥落片をネットで受けてその落下を防止する建物外壁面３における剥落片の落下防止構造であり、ネットが、建物外壁面３の形態に沿って予め作成される複数のネットパーツ５が組み合わせ使用されて構成されるもの。【選択図】図１
2018048537.tif 000002
【特許請求の範囲】
【請求項１】
建物外壁面を覆うようにネットを取り付け、前記建物外壁面の剥れによる剥落片を、前記ネットで受けてその落下を防止する建物外壁面における剥落片の落下防止構造であり、
前記ネットが、前記建物外壁面の形態に沿って予め作成される複数のネットパーツが組み合わせ使用されて構成されることを特徴とする建物外壁面における剥落片の落下防止構造。
【請求項２】
前記ネットパーツが超高分子量ポリエチレン繊維よって作成される請求項１記載の建物外壁面における剥落片の落下防止構造。
【請求項３】
前記ネットパーツの格子の辺長さを２０ｍｍ以上とする請求項１記載の建物外壁面における剥落片の落下防止構造。
【請求項４】
前記ネットパーツの前記格子を構成する線材の太さを１．４ｍｍ以下とする請求項１記載の建物外壁面における剥落片の落下防止構造。
【請求項５】
前記ネットパーツとして前記建物外壁面と類似する色彩のものを使用する請求項１記載の建物外壁面における剥落片の落下防止構造。
【請求項６】
前記ネットパーツが複数のネット片が繋がれ構成され、繋がれる一方の前記ネット片の階段状端縁と繋がれる他方の前記ネット片の階段状端縁とが、その間に連続して格子を形成するようにそれぞれの角部が点固定されて繋がれてなる請求項１記載の建物外壁面における剥落片の落下防止構造。
【請求項７】
前記点固定を、前記ネットパーツと同色の緊締糸を用いて行うことを特徴とする請求項６記載の建物外壁面における剥落片の落下防止構造。
【発明の詳細な説明】
【技術分野】
【０００１】  この発明は、建物外壁面における剥落片の落下防止構造に関する。
【背景技術】
【０００２】  外壁面がタイル張りやモルタル下地仕上げのビル等が老朽化すると、タイル片やモルタル片が剥離して落下する問題があり、非常に危険である。とくに、震災や台風の発生時にはその危険性が高まる。したがって、老朽化ビル等においては外壁の修繕が必要となるが、大きなビル等の場合は莫大な修繕費用が発生し、また、その修繕に長い期間を要する問題がある。
【発明の概要】
【発明が解決しようとする課題】
【０００３】  この発明は上記の事情に鑑みて行ったもので、費用を少なく、施工期間を少なくして、さらに、美観を損なうことなく建物外壁面における剥落片の落下を防止できるようにすることを目的とする。
【課題を解決するための手段】
【０００４】  この発明は、建物外壁面を覆うようにネットを取り付け、前記建物外壁面の剥れによる剥落片を、前記ネットで受けてその落下を防止する建物外壁面における剥落片の落下防止構造であり、前記ネットが、前記建物外壁面の形態に沿って予め作成される複数のネットパーツが組み合わせ使用されて構成されることを特徴とする建物外壁面における剥落片の落下防止構造を提供する。【０００５】  上記構成によれば、外壁面を覆うようにネットが取り付けられることで、剥落片はネットに引っかかって落下することが防止される。ネットを配置するのみであるので、費用が嵩むことがなく、また、施工期間も短く実施できる。【０００６】  とくに、建物外壁面の形態に沿って予め作成されたネットパーツを所定位置に取り付けることで建物外壁面の全体にネットの取り付けが行えるので、その施工が容易に短期間において行えるとともに、ネットパーツが建物外壁面の形態に沿って納まり良く配置されることで見栄えも良く、建物外壁面の美観も損なわれることが極力回避される。【０００７】  ネットパーツとして超高分子量ポリエチレン繊維より作成されるものを使用することで、ネットパーツの強度及び弾力性が大となり、重量のある剥落片も安定してネットパーツで受けられる。【０００８】  ネットパーツの格子の辺長さを２０ｍｍ以上とすることで、ネットパーツの格子密度があまり小さくならず、取り付けた際ネットパーツが判別しにくくなる。格子の辺長さを２０ｍｍ以上とすることで各種の外壁において剥落片がほぼ引っかかることが検証された。【０００９】  また、ネットパーツの格子を構成する線材の太さを１．４ｍｍ以下とすることで、格子が見えにくくなり、取り付けた際ネットパーツが判別しにくくなる。【００１０】  また、ネットパーツとして建物外壁面と類似する色彩のものを使用することで、取り付けた際ネットパーツが判別しにくくなる。【００１１】  ネットパーツが複数のネット片が繋がれ構成され、繋がれる一方のネット片の階段状端縁と繋がれる他方のネット片の階段状端縁とが、その間に連続して格子を形成するようにそれぞれの角部が点固定されて繋がれてなる構成とすることで、繋ぎ部は太くならないので目立つことがなく見栄えが良くなる。さらに、上記角部の点固定にネット片と同色の緊締糸が用いられることで、緊締部分が目に付きにくく、さらに見栄えが良くなる。
【発明の効果】
【００１２】  この発明によれば、建物外壁面の剥落片の落下防止が、費用を少なく、容易に短期間の施工において、さらに、建物外壁面の美観を損なうことなく行えるようになる。
【図面の簡単な説明】
【００１３】
【図１】  この発明の建物外壁面における剥落片の落下防止構造の実施形態の外観斜視図
【図２】  この発明の建物外壁面における剥落片の落下防止構造で使用するネットパーツの実施形態の部分平面図
【図３】  この発明の建物外壁面における剥落片の落下防止構造におけるネットパーツの実施形態の固定説明図
【図４】  この発明の建物外壁面における剥落片の落下防止構造におけるネットパーツの実施形態の繋ぎ構造説明図
【図５】  この発明の建物外壁面における剥落片の落下防止構造におけるネットパーツの実施形態の繋ぎ構造説明図
【図６】  ネットパーツの比較例図
【図７】  この発明の建物外壁面における剥落片の落下防止構造の他の実施形態の外観斜視図
【図８】  この発明の建物外壁面における剥落片の落下防止構造におけるネットパーツの他の実施形態の取り付け状態を示す断面略図
【図９】  この発明の建物外壁面における剥落片の落下防止構造で使用するネットパーツの他の実施形態の平面形態略図
【発明の好ましい実施形態】
【００１４】  図１はこの発明の建物外壁面における剥落片の落下防止構造の実施形態の斜視図であり、ビル２の外壁面３のほぼ全体を覆うように複数枚のネットパーツ５が取り付けられている。図２は使用される格子状のネットパーツ５を示し、全体がシルバー色でビル２のタイル壁面とほぼ同色で、窓６に対応する部分は開口７となっており、周囲部と開口７の周縁にはロープ８が取り付けられている。ネットパーツ５の外壁面３への取り付けは、ロープ８の適宜位置が、図３に示すように、外壁面３に埋設されるアンカーピン９の頂部係止穴１１に通されることで行われる。１２はタイル層、１３はモルタル層である。
【００１５】  ネットパーツ５は超高分子量ポリエチレン繊維よりなるイザナス（登録商標）が撚られて得られた紐が編まれて作成されており、格子１０の辺長さを２４ｍｍとし、格子１０の形成線部１５の太さを１．２ｍｍとしている。
【００１６】  図２に示されるネットパーツ５は長尺であり、複数個のネット片２０、２０がＡ−Ａで階段状に連続する位置（図６参照）で繋がれて構成されている。図４、図５に示すように、繋がれる一方のネット片２０の階段状端縁２２と繋がれる他方のネット片２０の階段状端縁２２とが、それぞれの角部２３がネット片２０、２０と同色の緊締糸２５が使用されて緊締固定され、これによりネット片２０、２０のそれぞれはその間に連続して他の格子１０と同様の格子１０ａを形成するように繋がれる。通常におけるネット片の繋ぎは階段状端縁に沿って１本の繋ぎ紐を用いて行う。図６はその繋ぎ紐を使用してネット片２００、２００を繋ぎネット５００を形成した状態を示し、その場合にはＡ−Ａ位置の階段状の繋ぎ部が太くなって目立つものとなるが、上記の繋ぎ構造によればＡ−Ａの繋ぎ部は太くならず、目立つことがなくて見栄えが良いものとなる。さらに、ネット片２０、２０と同色の緊締糸２５が用いられることで、緊締部分が目に付きにくくさらに見栄えが良いものとなる。
【００１７】  上記のように外壁面３を覆うように複数のネットパーツ５が取り付けられることで、剥落片はネットパーツ５の格子１０の形成線部１５に引っかかって落下することが防止される。ネットパーツ５は超高分子量ポリエチレン繊維よりなるイザナスが撚られて得られた紐が編まれて作成されていて非常に強度及び弾力性が大であるので、重量のある剥落片も安定して受けられる。
【００１８】  ネットの取り付け施工は、予め作成された建物外壁面の形態に沿って窓６に対応する部分は開口７となったネットパーツ５を所定位置に取り付けることで容易になされ、ネットパーツ５が納まり良く配置されることで見栄えも良いものとなる。
【００１９】    さらに、上記ネットパーツ５は、以下に説明するように、見栄え良く使用される。格子１０の辺寸法を２４ｍｍと大きくし、格子１０を構成する線材である形成線部１５の太さを１．２ｍｍと細くし、さらに、ネットパーツ５の色をビル２の外壁面３とほぼ同色としていることで、ネットパーツ５が外壁面３上において極めて判別できにくく、見栄えが良くなっている。くわえて、上記したように、ネットパーツ５におけるネット片２０、２０の繋ぎ目が分からないことでも見栄えが良くなっている。このようにして、ネットでビル壁面をおおうにもかかわらず、外観上「ビルにネットが掛けられている」という感が極力払拭され、デザイン面において優れたものとなっている。格子１０の辺長さ、格子１０を構成する形成線部１５の太さは、各現場において予想される剥落片の大きさや重さに対応して、より判別されにくい数値が選択される。
【００２０】  図７はこの発明の建物外壁面における剥落片の落下防止構造の異なる実施形態の斜視図、図８はその断面略図であり、この実施形態においては凹凸のあるビル３０の外壁面３３に対応して、図９に示す５種類のネットパーツ５０ａ〜５０ｅを用いている。ネットパーツ５０ａ〜５０ｅの素材構造や格子寸法は上記ネットパーツ５と同様であるとともにその取り付けも上記ネットパーツ５と同様に適宜行われ、また、長尺となるネットパーツ５０ａ、５０ｂは複数のネット片が上記ネットパーツ５と同様にして繋がれたものを用いている。
【００２１】  ネットパーツ５０ａは屋上のパラペット６０からその下部の外壁面６１を覆うように、ネットパーツ５０ｂは各階の庇６２の先端からその下面６３を覆うように、ネットパーツ５０ｃは各階の窓６６の上側の外壁面６７を覆うように、ネットパーツ５０ｄは各階の窓６６の下側の外壁面６８を覆うように、ネットパーツ５０ｅは柱６９それぞれの前面と両側面を覆うように、それぞれ取り付けられている。
【００２２】  このように凹凸のあるビル３０の外壁面３３においても、壁面形態に基づいて予め作成されたネットパーツ５０ａ〜５０ｅを所定の位置に取り付けることで、容易に短い施工期間において、建物外壁面の美観を損なうことなくネットの取り付けが行われる。
【符号の説明】
【００２３】２    建物
３    外壁面
５    ネットパーツ
【図１】
2018048537.tif 000003
【図２】
2018048537.tif 000004
【図３】
2018048537.tif 000005
【図４】
2018048537.tif 000006
【図５】
2018048537.tif 000007
【図６】
2018048537.tif 000008
【図７】
2018048537.tif 000009
【図８】
2018048537.tif 000010
【図９】
2018048537.tif 000011